(57)【要約】【課題】ファイル容量の増大を招くことなく、非定常なノイズの発生に対応したノイズ処理が可能な音声データを記録できる撮像録音装置を提供する。【解決手段】本発明の撮像録音装置１は、撮像手段１３と、集音手段１５と、前記集音手段１５によって集音されデジタル化された音声情報を記録する記録部１６と、前記音声情報に混入するノイズを発生する駆動部１２と、前記駆動部１２によるノイズの発生を検出するノイズ発生検出部２１と、前記音声情報へのノイズの混入を当該音声情報に標識付けするノイズ発生情報付加部２２と、を備え、前記ノイズ発生情報付加部２２は、前記ノイズ発生検出部２１の検出結果に基づいて前記記録部１６に記録される音声情報の一部にノイズ発生と対応するノイズ発生タイミング符号を埋め込むこと、を特徴とする。【選択図】図１
2013160781.tif 000002
【特許請求の範囲】
【請求項１】
撮像手段と、
集音手段と、
前記集音手段によって集音されデジタル化された音声情報を記録する記録部と、
前記音声情報に混入するノイズを発生する駆動部と、
前記駆動部によるノイズの発生を検出するノイズ発生検出部と、
前記音声情報へのノイズの混入を当該音声情報に標識付けするノイズ発生情報付加部と、
を備え、
前記ノイズ発生情報付加部は、前記ノイズ発生検出部の検出結果に基づいて前記記録部に記録される音声情報の一部にノイズ発生と対応するノイズ発生タイミング符号を埋め込むこと、
を特徴とする撮像録音装置。
【請求項２】
撮像手段と、
集音手段と、
前記集音手段によって集音されデジタル化された音声情報を記録する記録部と、
前記音声情報に混入するノイズを発生する駆動部と、
前記駆動部によるノイズの発生を検出するノイズ発生検出部と、
前記音声情報へのノイズの混入を当該音声情報に標識付けするノイズ発生情報付加部と、
を備え、
前記ノイズ発生情報付加部は、前記ノイズ発生検出部の検出結果に基づいて前記記録部に記録される音声情報を構成する複数ビットの内の少なくとも１ビットの信号をノイズ発生と対応したノイズ発生タイミング符号に置換すること、
を特徴とする撮像録音装置。
【請求項３】
請求項１または２に記載の撮像録音装置であって、
前記ノイズ発生情報付加部は、前記標識付けを、前記記録部に記録される音声情報の時間軸上における複数の信号に跨る前記ノイズ発生タイミング符号によって行うこと、
を特徴とする撮像録音装置。
【請求項４】
請求項２または３に記載の撮像録音装置であって、
前記ノイズ発生情報付加部は、前記記録部に記録される音声情報を構成する複数ビットの内の最下位ビットに対して前記標識付けを行うこと、
を特徴とする撮像録音装置。
【請求項５】
請求項１〜４のいずれか１項に記載の撮像録音装置であって、
前記ノイズ発生情報付加部は、前記ノイズ発生検出部によって検出されたノイズ発生と時間軸上同位置の前記音声情報に前記標識付けを行うこと、
を特徴とする撮像録音装置。
【請求項６】
請求項１〜５のいずれか１項に記載の撮像録音装置であって、
駆動ノイズを発生する駆動部を複数有し、
前記ノイズ発生検出部は、前記各駆動部によるノイズ発生をそれぞれ検出し、
前記ノイズ発生情報付加部は、前記各ノイズ発生検出部の検出結果に基づいて前記駆動部ごとにそれぞれ異なる前記ノイズ発生タイミング符号によって前記標識付けを行うこと、
を特徴とする撮像録音装置。
【請求項７】
請求項１〜６のいずれか１項に記載の撮像録音装置であって、
前記ノイズ発生情報付加部は、前記ノイズ発生検出部の検出結果に基づいてノイズ発生開始とノイズ発生終了のそれぞれについて前記標識付けを行うこと、
を特徴とする撮像録音装置。
【請求項８】
請求項１〜６のいずれか１項に記載の撮像録音装置であって、
前記ノイズ発生情報付加部は、前記ノイズ発生検出部の検出結果に基づいてノイズ発生開始からノイズ発生終了までの間前記標識付けを繰り返して行うこと、
を特徴とする撮像録音装置。
【請求項９】
請求項１〜８のいずれか１項に記載の撮像録音装置であって、
前記ノイズ発生情報付加部は、前記ノイズのノイズデータを前記記録部に記録される音声情報の一部に埋め込むこと、
を特徴とする撮像録音装置。
【請求項１０】
請求項１〜９のいずれか１項に記載の撮像録音装置であって、
前記ノイズ発生情報付加部は、前記記録部に記録される音声信号が、前記ノイズ発生タイミング符号と同値となる場合には、前記音声信号を変更すること、
を特徴とする撮像録音装置。
【発明の詳細な説明】
【技術分野】
【０００１】
本発明は、画像撮影と音声録音とが可能な撮像録音装置に関するものである。
【背景技術】
【０００２】
たとえば、デジタルカメラ等の撮像装置による動画撮影時において、オートフォーカス（以後、「ＡＦ」と略記する）の駆動音等の機構音が被写体の発する音声や環境音等の目的音に重なって入力され、そのまま録音・再生すると聞き苦しいものとなる。
このような不要な機構音等のノイズを低滅するために、ノイズ成分をスペクトル減算する等のノイズ低滅処理が知られているが、このようなノイズ低滅処理を録音時に行うと処理の負担が大きい。
このため、記録される音声データのヘッダ部に駆動部のデバイスＩＤを書き込み、そのＩＤに基づいて再生時にノイズ処理を行う方法が提案されている（特許文献１等参照）。
【先行技術文献】
【特許文献】
【０００３】
【特許文献１】特開２００８−０５２０５９号公報
【発明の概要】
【発明が解決しようとする課題】
【０００４】
ここで、ノイズ低滅処理は、処理の負担が増えると共に目的音に歪みを生じさせることがあるため、ＡＦノイズのような定常的でなく間欠的に入力される機構音に対しては、その発生に応じて行うことが望ましい。しかし、そのためにノイズの発生を記録するように構成すると、記録ファイル容量の増大を招来する。
【０００５】
本発明の課題は、ファイル容量の増大を招くことなく、非定常なノイズの発生に対応したノイズ処理が可能な音声データを記録できる撮像録音装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、撮像手段（１３）と、集音手段（１５）と、前記集音手段（１５）によって集音されデジタル化された音声情報を記録する記録部（１６）と、前記音声情報に混入するノイズを発生する駆動部（１２）と、前記駆動部（１２）によるノイズの発生を検出するノイズ発生検出部（２１）と、前記音声情報へのノイズの混入を当該音声情報に標識付けするノイズ発生情報付加部（２２）と、を備え、前記ノイズ発生情報付加部（２２）は、前記ノイズ発生検出部（２１）の検出結果に基づいて前記記録部（１６）に記録される音声情報の一部にノイズ発生と対応するノイズ発生タイミング符号を埋め込むこと、を特徴とする撮像録音装置（１）である。
請求項２に記載の発明は、撮像手段（１３）と、集音手段（１５）と、前記集音手段（１５）によって集音されデジタル化された音声情報を記録する記録部（１６）と、前記音声情報に混入するノイズを発生する駆動部（１２）と、前記駆動部（１２）によるノイズの発生を検出するノイズ発生検出部（２１）と、前記音声情報へのノイズの混入を当該音声情報に標識付けするノイズ発生情報付加部（２２）と、を備え、前記ノイズ発生情報付加部（２２）は、前記ノイズ発生検出部（２１）の検出結果に基づいて前記記録部（１６）に記録される音声情報を構成する複数ビットの内の少なくとも１ビットの信号をノイズ発生と対応したノイズ発生タイミング符号に置換すること、を特徴とする撮像録音装置（１）である。
請求項３に記載の発明は、請求項１または２に記載の撮像録音装置であって、前記ノイズ発生情報付加部（２２）は、前記標識付けを、前記記録部（１６）に記録される音声情報の時間軸上における複数の信号に跨る前記ノイズ発生タイミング符号によって行うこと、を特徴とする撮像録音装置（１）である。
請求項４に記載の発明は、請求項２または３に記載の撮像録音装置であって、前記ノイズ発生情報付加部（２２）は、前記記録部（１６）に記録される音声情報を構成する複数ビットの内の最下位ビットに対して前記標識付けを行うこと、を特徴とする撮像録音装置（１）である。
請求項５に記載の発明は、請求項１〜４のいずれか１項に記載の撮像録音装置であって、前記ノイズ発生情報付加部（２２）は、前記ノイズ発生検出部（２１）によって検出されたノイズ発生と時間軸上同位置の前記音声情報に前記標識付けを行うこと、を特徴とする撮像録音装置（１）である。
請求項６に記載の発明は、請求項１〜５のいずれか１項に記載の撮像録音装置であって、駆動ノイズを発生する駆動部（１２）を複数有し、前記ノイズ発生検出部（２１）は、前記各駆動部（１２）によるノイズ発生をそれぞれ検出し、前記ノイズ発生情報付加部（２２）は、前記各ノイズ発生検出部（２１）の検出結果に基づいて前記駆動部（１２）ごとにそれぞれ異なる前記ノイズ発生タイミング符号によって前記標識付けを行うこと、を特徴とする撮像録音装置（１）である。
請求項７に記載の発明は、請求項１〜６のいずれか１項に記載の撮像録音装置であって、前記ノイズ発生情報付加部（２２）は、前記ノイズ発生検出部（２１）の検出結果に基づいてノイズ発生開始とノイズ発生終了のそれぞれについて前記標識付けを行うこと、を特徴とする撮像録音装置（１）である。
請求項８に記載の発明は、請求項１〜６のいずれか１項に記載の撮像録音装置であって、前記ノイズ発生情報付加部（２２）は、前記ノイズ発生検出部（２１）の検出結果に基づいてノイズ発生開始からノイズ発生終了まで前記標識付けを繰り返して行うこと、を特徴とする撮像録音装置（１）である。
請求項９に記載の発明は、請求項１〜８のいずれか１項に記載の撮像録音装置であって、前記ノイズ発生情報付加部（２２）は、前記ノイズのノイズデータを前記記録部（１６）に記録される音声情報の一部に埋め込むこと、を特徴とする撮像録音装置（１）である。
請求項１０に記載の発明は、請求項１〜９のいずれか１項に記載の撮像録音装置であって、前記ノイズ発生情報付加部（２２）は、前記記録部（１６）に記録される音声信号が、前記ノイズ発生タイミング符号と同値となる場合には、前記音声信号を変更すること、を特徴とする撮像録音装置（１）である。
【発明の効果】
【０００８】
本発明によれば、ファイル容量の増大を招くことなく、非定常なノイズの発生に対応したノイズ処理が可能な音声データを記録できる撮像録音装置を提供できる。
【図面の簡単な説明】
【０００９】
【図１】本発明における撮像録音装置の一実施形態としてのカメラのブロック構成図である。
【図２】ノイズ発生検出部２１によるノイズ発生検出信号（ａ）と音声信号（ｂ）とを示す図である。
【図３】ノイズが混入したデジタル音声信号を示し、（ａ）は量子化したデジタル音声信号，（ｂ）はタイミング標識としてのノイズ発生タイミング符号である。
【図４】音声信号処理部における標識付け制御のフローチャートである。
【発明を実施するための形態】
【００１０】
以下、図面等を参照して、本発明の実施形態について説明する。
図１は、本発明における撮像録音装置の一実施形態としてのカメラ１のブロック構成図である。
カメラ１は、静止画と動画の何れも撮影可能であって、動画撮影時には画像と同時に音声も記録するものである。
【００１１】
図１に示すように、カメラ１は、ＡＦレンズ１１Ｆを含む結像光学系１１と、ＡＦレンズ１１Ｆを移動駆動するＡＦ駆動部１２と、結像光学系１１によって結像された被写体像光を電気信号に変換する撮像素子１３と、撮像素子１３から出力されるアナログの画像情報をＡ／Ｄ変換すると共に画像処理して画像データを生成する画像処理部１４と、を備えている。
【００１２】
また、カメラ１は、音声等を集音するマイク１５と、マイクによる集音情報を信号処理する音声信号処理部２０と、画像処理部１４が出力する画像データおよび音声信号処理部２０が出力する音声データをメモリーカード等の記録媒体３０に記録する記録部１６と、を備えている。さらに、カメラ１は、当該カメラ１の各構成要素を統括制御する制御部４０を備えている。
【００１３】
そして、カメラ１は、使用者による図示しないシャッターボタンの押圧操作によって撮影が指令されると、制御部４０によって制御されて撮影作用を行う。すなわち、撮像素子１３によって被写体像光を電気信号に変換し、画像処理部１４によって処理した画像データを、記録部１６を介して記録媒体３０に記録する（撮影する）。制御部４０は、撮影時において、ＡＦ駆動部１２を介してＡＦレンズ１１Ｆを移動駆動するＡＦ制御を行う。ＡＦ制御は、たとえば、撮像素子１３によって撮像した被写体のコントラストを検出して行う（コントラストＡＦ）。
【００１４】
動画撮影時には、撮像素子１３が被写体像光を電気信号に変換してローリングシャッターで順次取り込み、記録部１６を介して１秒間に所定のフレーム（コマ数）の画像を記録媒体３０に記録する（撮影する）。同時に、音声信号処理部２０が信号処理した音声データをフレーム毎に記録部１６を介して記録媒体３０に記録（録音）する。動画撮影時には、撮影期間を通してＡＦ制御が行われる。
【００１５】
ここで、音声信号処理部２０は、動画撮影時において、マイク１４が集音した音声をデジタル信号化すると共に、そのデジタル音声信号にＡＦ制御にかかる駆動音（ＡＦ駆動音）の混入を識別可能し得る標識を付して記録部１６に出力する。
つぎに、この音声信号処理部２０について、前述した図１に加えて図２および図３を参照して詳細に説明する。図２は、ノイズ発生検出部２１によるノイズ発生検出信号（ａ）と音声信号（ｂ）とを示す図である。図３は、ノイズが混入したデジタル音声信号を示し、（ａ）は量子化したデジタル音声信号，（ｂ）はタイミング標識としてのノイズ発生タイミング符号である。図４は、音声信号処理部２０における標識付け制御のフローチャートである。
【００１６】
音声信号処理部２０は、図示しないが増幅器とＡ／Ｄ変換器とを備えており、マイク１４が集音したアナログ音声情報を増幅して、たとえばサンプリング周波数：４４．１ｋＨｚ，分解能１６ｂｉｔでデジタル音声信号に変換する。
また、図１中に示すように、音声信号処理部２０は、機能部として、ノイズ発生検出部２１と、ノイズ発生情報付加部２２と、を備えている。
ノイズ発生検出部２１は、ＡＦ駆動部１２からＡＦ駆動情報を取得し、ＡＦ駆動が行われる際にはＡＦ駆動ノイズの発生信号（ノイズ検出信号）をノイズ発生情報付加部２２に出力する。
【００１７】
つまり、図２に示すように、時刻Ａ〜ＢにおいてＡＦ駆動部１２によるＡＦ駆動が行われた場合、図２（ａ）に音声信号の波形を示すように、ＡＦ駆動部１２の駆動音（ＡＦノイズ）が音声信号に混入（重畳）する。ノイズ発生検出部２１は、ＡＦ駆動部１２からの駆動情報に基づいて、図２（ｂ）に示すように時刻Ａ〜Ｂの間、ノイズ検出信号を出力（Ｈ）する。
なお、ＡＦ駆動ノイズの発生を検出する手段としては、制御部４０からの制御信号に基づいてＡＦ駆動情報とする構成としても良い。
【００１８】
ノイズ発生情報付加部２２は、ノイズ発生検出部２１の検出結果に基づいて、デジタル音声信号５０にノイズ発生符号（ノイズ発生開始符号，ノイズ発生終了符号）を埋め込み、ノイズ混入を標識付けする。
すなわち、図３（ａ）に示すように、ノイズ発生情報付加部２２は、ノイズ発生検出部２１からノイズ検出信号（Ｈ）が入力されると、デジタル音声信号５０における最下位ビットＢ１６にノイズ発生開始符号５１を埋め込む。換言すると、デジタル音声信号における最下位ビットの本来のデータ列をノイズ発生符号に置換し、これによってノイズ混入を標識付けするものである。なお、図３（ａ）において、縦方向は各サンプリング時刻でデジタル化されたデータ  （上が上位ビット、下が下位ビット）を示し、横方向はサンプリング時刻毎のデータを示す。
【００１９】
ノイズ発生開始符号５１は、図３（ｂ）にその一例を示すような、予め定められた二進法の符号列である。図示ノイズ発生開始符号５１は、時系列上に並ぶ１６サンプル分に亘る（１６ビットの）符号列である。なお、これは一例であってその桁数や並びは、適宜設定可能である。
また、ノイズ発生情報付加部２２は、ノイズ検出信号の入力が終了（Ｌ）すると、デジタル音声信号５０における最下位ビットＢ１６に、ノイズ発生開始符号５１とは異なるノイズ発生終了符号を埋め込む。これにより、ノイズ混入の終了を標識付けする。
【００２０】
デジタル音声信号への標識付け（ノイズ発生符号の埋め込み）のタイミング（時系列上の位置）は、ノイズ検出信号の入力（または入力終了）と同時とするが、後述する再生時において対応可能に構成すれば、前後に所定時間ずらしても良い。
【００２１】
ここで、ＡＦ駆動が行われておらずノイズ検出信号の入力がない（Ｌ）状態で、デジタル音声信号の最下位ビットにおける時系列上のデータの並びが、偶然、標識付け符号（ノイズ発生開始符号、ノイズ発生終了符号またはノイズ発生タイミング符号）と一致する場合には、その一致するデジタル音声信号の少なくとも１ビットを反転させて異なったものとする。反転させる１ビットは、並んだ１６ビットの最後の１ビットや、もっとも大きな信号の１ビットとする。これにより、ノイズ低減処理の誤作動を防ぐことができる。反転させる信号は、最下位ビットであるため、聴感上の遠和感は少ない。なお、本実施形態における標識付けの符号のデータ長は１６桁であるが、よりデータ長を大きくすることで、デジタル音声信号が偶然同値となる可能性を少なくすることができる。
【００２２】
つぎに、上記の音声信号処理部２０による標識付け制御を図４に示すフローチャートに沿って説明する。なお、図中および以下の説明において、ステップを「Ｓ」とも略記する。
標識付け制御は、動画撮影（録音）の開始によって同時に開始される。
標識付け制御が開始されると、デジタル音声信号の最下位ビットにおける時系列上のデータの並びを監視し（Ｓ４０１）、データの並びを標識付け符号（ノイズ発生開始符号、ノイズ発生終了符号またはノイズ発生タイミング符号）と照合する（Ｓ４０２）。
ステップ４０２においてデータの並びが標識付け符号と一致すると判断された場合（Ｙｅｓ）には、最後のデータを変更する（Ｓ４０３）。
【００２３】
また、ステップ４０１の最下位ビットの監視と共に、ノイズ検出信号の入力を待機する（Ｓ４０４）。
ステップ４０４においてノイズ検出信号の入力が判断される（Ｙｅｓ）と、デジタル音声信号へノイズ発生を標識付けし（Ｓ４０５）、つづいて、ノイズ検出信号の入力終了を待機する（Ｓ４０６）。
ステップ４０６においてノイズ検出信号の入力終了が判断される（Ｙｅｓ）と、デジタル音声信号へノイズ発生終了を標識付けし（Ｓ４０６）、以後、動画撮影期間中に亘って上記制御を継続するものである。
【００２４】
上記のようにノイズ発生開始符号が標識付けされたデジタル音声信号は、再生時において、ノイズ発生開始符号に基づいてノイズ低減処理を行うことができる。
すなわち、本構成に対応した再生環境（ソフト等）を有する場合には、再生中（もしくはデータ変換中）に最下位ビットを監視し、ノイズ発生開始符号（データ列）が検出されると、ノイズ発生終了符号が検出されるまでの間、スペクトル減算法等によるノイズ低減処理を行う。なお、スペクトル減算に用いるＡＦレンズ毎に固有なノイズ情報は再生環境が予め保持しているものとする。
【００２５】
これにより、ノイズが混入した範囲（時間）のみに対してノイズ低減処理を施すことが可能となる。ノイズ混入の標識付けはデジタル音声信号における最下位ビットを置換して行われるため、ファイル容量の増大を招来することはない。
標識付けには最下位ビットを用いているため、再生時における聴感上違和感が少なく、また、もともとＡＦノイズが混入しているので多少の音質が劣化しても識別は困難である。
【００２６】
また、ＡＦ駆動の關始（終了）のタイミングが正確に分かるので、その動作（ＡＦ駆動の闘始等）に特化したノイズ低減処理も可能である。この場合に、ノイズ低減処理の処理結果が使用者の要求とは異なる場合（低減処理の強弱はユーザにより好みがある）には、処理をＡＦ駆動区間に合わせてやり直すことが可能になり、使用者の要求に合った処理結果を得ることが可能となる。
【００２７】
一方、本構成に対応していない再生環境で再生する場合には、そのまま通常の再生が可能である。すなわち、音声データの記録に特別なヘッダデータや駆動タイミングを記録したトラックを用いていないため、再生に不具合を生ずることがない。
【００２８】
以上、本実施形態によると、以下の効果を有する。
（１）ノイズ発生情報付加部２２は、ノイズ発生検出部２１からノイズ検出信号が入力されると、デジタル音声信号における最下位ビットにノイズ発生開始符号を埋め込んで、ノイズ混入を標識付けする。また、ノイズ検出信号の入力が終了すると、デジタル音声信号における最下位ビットにノイズ発生開始符号とは異なるノイズ発生終了符号を埋め込む。
これにより、再生中において最下位ビットを監視し、ノイズ発生開始符号とノイズ発生終了符号の間ノイズ低減処理を行うことで、ノイズが混入した範囲（時間）のみに対してノイズ低減処理を施すことが可能となる。ノイズ混入の標識付けはデジタル音声信号における最下位ビットに行われるため、標識付けによってファイル容量の増大を招来することはない。
【００２９】
（２）ノイズ発生情報付加部２２は、標識付けに最下位ビットを用いるため、再生時における聴感上違和感が少なく、また、もともとＡＦノイズが混入しているので多少の音質が劣化しても識別は困難である。つまり、聴覚上の音質への影響は極めて少ない。
（３）ＡＦ駆動の關始（終了）のタイミングが正確に分かるので、その動作（ＡＦ駆動の闘始等）に特化したノイズ低減処理も可能となる。この場合に、ノイズ低減処理の処理結果が使用者の要求とは異なる場合には、処理をＡＦ駆動区間に合わせてやり直すことが可能であり、使用者の要求に合った処理結果を得ることが可能となる。
【００３０】
（変形形態）
以上、説明した実施形態に限定されることなく、以下に示すような種々の変形や変更が可能であり、それらも本発明の範囲内である。
（１）上記実施形態は、本発明を、ＡＦ機能を有するデジタルカメラに適用し、ＡＦ駆動ノイズの混入をデジタル音声信号に標識付けするものである。しかし、標識付けの対象とするノイズはＡＦ駆動ノイズに限るものではなく、ズーム駆動ノイズ，スイッチ類の操作ノイズ，ブレ補正駆動ノイズ等、他の機構ノイズにも適用可能である。複数種類の機構ノイズについて標識付けするように構成しても良く、その場合には、各機構ノイズに対してそれぞれ異なる標識符号を付して識別可能とする。
【００３１】
（２）上記実施形態では、ノイズ発生検出部２１からノイズ検出信号（Ｈ）が入力されるとデジタル音声信号５０にノイズ発生開始符号５１を埋め込み、ノイズ検出信号の入力が終了（Ｌ）するとデジタル音声信号５０にノイズ発生終了符号を埋め込んで標識付けする。しかし、デジタル音声信号への標識付けは、この例に限らず、ノイズ発生符号を、ノイズ検出信号（Ｈ）が入力された時間区間において繰り返し連続して埋め込み（置換）し続けるように構成しても良い。このようにノイズ発生符号を繰り返し連続して埋め込むことにより、音声データが編集されてノイズ発生の開始または終了部位が削除された場合でも、再生時においてノイズの混入を認識できる。
【００３２】
（３）上記実施形態では、標識付けしたノイズ混入域に対する再生時におけるノイズ低減処理は、再生装置が保持するノイズデータに基づいて行う。しかし、ノイズデータを、音声データに埋め込み、そのノイズデータを用いてノイズ低減処理を行わせる構成としても良い。
たとえば、スペクトル減算に用いるノイズスペクトルを符号化し、それをデジタル音声信号における最下位ビットのノイズ発生開始符号の後に埋め込むものである。
これにより、再生時にノイズデータを読み取ってノイズ低減処理を行うことができ、再生装置はノイズデータを保持しなくて良いために記憶装置の負担を軽減できると共に、新規のノイズに対しても対応可能となる。
このノイズ情報を埋め込む場所は、最下位ビットに限らず、その１つ上のビットとする等、適宜変更可能である。
【００３３】
なお、実施形態及び変形形態は、適宜組み合わせて用いることもできるが、詳細な説明は省略する。また、本発明は以上説明した実施形態によって限定されることはない。
【符号の説明】
【００３４】
１：カメラ、１２：ＡＦ駆動部、１３：撮像素子、１５：マイク、１６：記録部、２０：音声信号処理部、２１：ノイズ発生検出部、２２：ノイズ発生情報付加部、４０：制御部、５０：デジタル音声信号、５１：ノイズ発生開始符号、Ｂ１６：最下位ビット
【図１】
2013160781.tif 000003
【図２】
2013160781.tif 000004
【図３】
2013160781.tif 000005
【図４】
2013160781.tif 000006